【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
ａ．第１の取り付け表面（３）を有する第１の構造部材（２）と、
ｂ．前記第１の構造部材（２）の前記第１の取り付け表面（３）に関して角度を成す第２の取り付け表面（１９）を有する第２の構造部材（１８）であって、前記第２の構造部材（１８）は、前記第１の構造部材（２）を支持する、第２の構造部材（１８）と、
ｃ．コネクタ（４）と
を備える建築用接続部品（１）であって、
前記コネクタ（４）は、
ｉ．第１の外周縁部（６）、取り付け面（２１）、及び前記取り付け面（２１）の反対側の開放面（２２）を有する本体（５）であって、前記取り付け面（２１）が前記第１の構造部材（２）の前記第１の取り付け表面（３）と境界を接する状態で、前記第１の構造部材（２）に固定される、本体（５）と、
ｉｉ．前記第１の外周縁部（６）から離間した第１のベンド部（８）において前記本体（５）に接合された第１のタブ（７）と
を有し、
前記第１のタブ（７）は、
（ａ）第１のタブ取り付け面（２３）及び前記第１のタブ取り付け面（２３）の反対側の第１の開放面（２４）と、
（ｂ）前記第１のベンド部（８）に接合された第１のタブ延長部分（９）と、
（ｃ）前記第１のタブ延長部分（９）に接合され前記第１のタブ延長部分（９）によって前記第１のベンド部（８）から離間した、第１のタブ取り付け部分（１０）であって、前記第１のタブ取り付け部分（１０）は、前記第１のタブ延長部分（９）から離れる方を向く第１の自由端（１１）を有し、前記第１のタブ取り付け部分（１０）は、前記取り付け面（２３）が前記第２の構造部材（１８）の前記第２の取り付け表面（１９）と境界を接する状態で、前記第２の構造部材（１８）に固定される、第１のタブ取り付け部分（１０）と、
を有し、
ｉ．前記第１のベンド部（８）は、第１の端部（１２）を有し、前記本体（５）は、前記第１のベンド部（８）の前記第１の端部（１２）を越えて延在する第１の側方部分（１３）を有し、
ｉｉ．前記本体（５）の前記第１の側方部分（１３）は、前記第１のベンド部（８）のそれぞれの側に延在し、
ｉｉｉ．前記第１のタブ（７）の前記第１のタブ延長部分（９）及び前記第１の取り付け部分（１０）は、単一の平面を占有することはなく、
ｉｖ．前記第１のタブ延長部分（９）の前記取り付け面（２３）と、前記第１のベンド部（８）と前記第１の外周縁部（６）との間の前記本体（５）の前記開放面（２２）とは、第１の鋭角（２５）を画定し、
（ｄ）前記コネクタ（４）の前記本体（５）が、外側の境界線（２６）を有し、前記第１の外周縁部（６）が、前記コネクタ（４）の前記本体（５）の前記外側の境界線（２６）を構成する複数の外周縁部（６）のうちの１つであり、前記第１のベンド部（８）が、全体的に前記外側の境界線（２６）内にあり、前記第１のタブ（７）が、前記外側の境界線（２６）に交わらず、前記コネクタ（４）の前記本体（５）が、前記第１の構造部材（２）の前記第１の取り付け表面（３）に埋め込まれる突出したネイル・プロング（１４）を複数有し、
（ｅ）追加的な側方部分（１３）が、前記ベンド部（８）の他方の端部に設けられており、前記追加的な側方部分（１３）は、前記ベンド部（８）の両側まで延在しており、前記ベンド部（８）の前記端部における前記側方部分（１３）は、前記ベンド部（８）の両側に、突出したネイル・プロングを有する、建築用接続部品（１）。
【請求項２】
ａ．前記コネクタ（４）の前記本体（５）の一部分が、前記第１のベンド部（８）と前記第１のタブ取り付け部分（１０）の前記自由端（１１）との間の距離よりも遠くに前記第１の外周縁部（６）から離れて延在する、請求項１に記載の建築用接続部品（１）。
【請求項３】
ａ．前記第１のタブ延長部分（９）が、前記第１のベンド部（８）を介さずに前記コネクタ（４）の前記本体（５）と接触することはない、請求項２に記載の建築用接続部品（１）。
【請求項４】
ａ．前記第１の外周縁部（６）が、前記コネクタ（４）の前記本体（５）の前記第１の側方部分（１３）まで延在する、請求項３に記載の建築用接続部品（１）。
【請求項５】
ａ．前記第１のタブ（７）が、別々の２つのベンド部（８）においてそれぞれ前記コネクタ（４）の前記本体（５）に接合された第１及び第２の延長部分（９）を有し、
ｂ．各タブ（７）の前記取り付け部分（１０）が、各タブの前記第１の延長部分（９）及び前記第２の延長部分（９）に接続する、
請求項１に記載の建築用接続部品（１）。
【請求項６】
ａ．前記第１のタブ（７）を前記コネクタ（４）の前記本体（５）に接合する前記ベンド部（８）が、それぞれ直線的であり、一直線上に位置合わせされている、
請求項５に記載の建築用接続部品（１）。
【請求項７】
ａ．前記第１のタブ（７）が、概して弓形であり、弧のそれぞれの端部に前記第１及び第２のベンド部（８）を有する、請求項６に記載の建築用接続部品（１）。
【請求項８】
ａ．前記第１のタブ（７）が、各タブ延長部分（９）の前記開放面（２４）と各タブ取り付け部分（１０）の前記開放面（２４）との間に鈍角の折れ目（１６）を有する、請求項７に記載の建築用接続部品（１）。
【請求項９】
ａ．前記コネクタ（４）が第２のタブ（７）を有し、
前記第２のタブ（７）は、
ｉ．第２のタブ取り付け面（２３）及び前記第２のタブ取り付け面（２３）の反対側の第２の開放面（２４）と、
ｉｉ．第２のベンド部（８）に接合された第２のタブ延長部分（９）と、
ｉｉｉ．前記第２のタブ延長部分（９）に接合され前記第２のタブ延長部分（９）によって前記第２のベンド部（８）から離間した、第２のタブ取り付け部分（１０）であって、前記第２のタブ取り付け部分（１０）は、前記第２のタブ延長部分（９）から離れる方を向く第２の自由端（１１）を有し、前記第２のタブ取り付け部分（１０）は、前記第２のタブ取り付け面（２３）が前記第２の構造部材（１８）の前記第２の取り付け表面（１９）と境界を接する状態で、前記第２の構造部材（１８）に固定されている、第２のタブ取り付け部分（１０）と
を有し、
ａ．前記第２のベンド部（８）は、第２の端部（１２）を有し、前記本体（５）は、前記第２のベンド部（８）の前記第２の端部（１２）を越えて延在する第２の側方部分（１３）を有し、
ｂ．前記本体（５）の前記第２の側方部分（１３）は、前記第２のベンド部（８）のそれぞれの側に延在し、
ｃ．前記第１のタブ（７）の前記第２のタブ延長部分（９）及び前記第２の取り付け部分（１０）は、単一の平面を占有することはなく、
ｄ．前記第２のタブ延長部分（９）の前記第２の取り付け面（２３）と、前記第２のベンド部（８）と前記第１の外周縁部（６）との間の前記本体（５）の前記開放面（２２）とは、第２の鋭角（２５）を画定する、
請求項８に記載の建築用接続部品（１）。
【請求項１０】
ａ．前記コネクタ（４）の前記本体（５）が、前記本体（５）の前記取り付け面（２１）から突出する一体のネイル・プロング（１４）を用いて前記第１の構造部材（２）に固定されており、
ｂ．各タブ（７）が、別個の固定具（１７）を用いて前記第２の構造部材（１８）に固定されている、
請求項１に記載の建築用接続部品（１）。
【請求項１１】
ａ．前記第１の構造部材（２）が、複数の弦材（１５）を有し、
ｂ．前記コネクタ（４）の前記本体（５）が、前記第１の構造部材（２）の垂直弦材（１５）及び水平弦材（１５）に取り付けられている、
請求項１０に記載の建築用接続部品（１）。
【請求項１２】
ａ．前記第２の構造部材（１８）が、複数の弦材（２０）を有し、
ｂ．各タブ（７）が、前記第２の構造部材（１８）の異なる弦材（２０）に固定される、
請求項１１に記載の建築用接続部品（１）。
【請求項１３】
ａ．前記第１の構造部材（２）が、前記ネイル・プロング・コネクタ（４）を介して前記第２の構造部材（１８）によって支持される、
請求項１２に記載の建築用接続部品（１）。
【請求項１４】
ａ．前記第１及び第２の構造部材（２）はトラス（２）である、請求項１３に記載の建築用接続部品（１）。
【請求項１５】
ａ．前記第１の構造部材（２）は、ジャック・トラス（２）であり、前記第２の構造部材（１８）は、ガーダー・トラス（２）である、請求項１４に記載の建築用接続部品（１）。
【請求項１６】
ａ．前記コネクタ（４）の前記本体（５）の前記第１の外周縁部（６）が、前記第２の構造部材（１８）の前記第２の取り付け表面（１９）に当接する、請求項１５に記載の建築用接続部品（１）。
【請求項１７】
ａ．前記コネクタ（４）の前記本体（５）が、すべての対のベンド部（８）の間で前記第１の構造部材（２）に固定される、請求項１６に記載の建築用接続部品（１）。